(57)【要約】【課題】シートを取り付けるためのフレームを容易且つ柔軟に構築することができると共に、シートの取り付けにかかる作業者の時間的負担を軽減することができる屋外補助装置を提供する。【解決手段】物品が管理されている建造物２０においてその物品を搬入出する際に補助的に作業場所を確保するために使用する屋外補助装置１０は、建造物２０に等間隔の列をなして設置される伸縮自在なフレーム１２を有し、フレーム１２は、地面方向に対して伸長することでフレーム１２に取り付けるシートが脱着可能に設けられるように且つシートの取付高さ、幅、及び傾きが自由に設定できるように形成した。【選択図】図１
2008240330.tif 000002
【特許請求の範囲】
【請求項１】
物品が管理されている建造物において物品を搬入出する際に補助的に作業場所を確保するために使用する屋外補助装置であって、
前記建造物に等間隔の列をなして設置される伸縮自在なフレームを有し、そのフレームは、地面方向に対して伸長することでフレームに取り付けるシートが脱着可能に設けられるように且つシートの取付高さ、幅、及び傾きが自由に設定できるように形成したことを特徴とする屋外補助装置。
【請求項２】
前記フレームは、取付位置に対して水平方向に伸縮するジャバラ構造からなり、伸長時に地面方向に対して緩やかな弧を描くようにして垂れ下がるような角度に引き出せるように形成したことを特徴とする請求項１に記載の屋外補助装置。
【請求項３】
前記フレームは、両端に設けられたＬ形金具を建造物に備わるフックに固定することで保持されることを特徴とする請求項２に記載の屋外補助装置。
【請求項４】
前記フレームは、長さが段階的に伸縮できる構造で構成され、そのフレームの一部を構成するシャフトを回転させるようにすることで前記建造物に取外自在に設けられていることを特徴とする請求項１に記載の屋外補助装置。
【請求項５】
前記フレームは、伸長させたフレームの先端を地面に固定することで保持されることを特徴とする請求項４に記載の屋外補助装置。
【請求項６】
前記シャフトは、シャフトの軸方向に直交するようにバネ力が加わる突起部を有しており、その突起部にシートの端部を挟み込むことでシートが脱着可能となるようにしたことを特徴とする請求項４又は５に記載の屋外補助装置。
【発明の詳細な説明】
【技術分野】
【０００１】
本発明は、屋外補助装置に関し、特に各種電気機器を格納するスイッチギアに適用して有用なものである。
【背景技術】
【０００２】
従来から、例えば、スイッチギアの作業時又は点検時などにおいて、雨が降ることにより、内部に雨水が浸入してしまいスイッチギアを構成する各種機器が誤作動したり劣化したりする原因となっていた。このため、スイッチギアの作業時又は点検時などに雨が降った場合には、例えば、作業などを中断して倉庫などの別の場所から雨よけシートを持参して、スイッチギアの内部に雨水が浸入しないような位置に手作業で取り付けて固定していた。
【０００３】
上述のような形態で用いられる雨よけシートの取り付けは、作業者側にとって予定外の作業であり且つそれなりの時間も費やすことになるため、本来の作業時間を圧迫する。このような事態が、例えば、停電作業時で生じた場合には、停電時間が長引いてしまうなどの深刻な影響を与える恐れがあった。
【０００４】
さらに、雨よけシートの取り付けには、シートが大きいために複数人で行う必要があり、例えば、既設のスイッチギア上部のフックにシートの一端を止めると共に、他端を近傍のフェンスなどに取り付けて固定していた。すなわち、用途が重要なわりには、他端を取り付けるための専用の取り付け部が設けられていなかった。このため、シートの取り付け状態が不安定となり、雨の重みで垂れ下がったり、スイッチギアの扉の開閉に支障が生じたり、雨水がスイッチギア側へ流れてしまうなどの問題があった。
【０００５】
一方、一般的なシートを取り付ける技術として、例えば、シートの先端に取り付けた先端棒の両端を支持しているシート張出ポールの回動によりシートが伸展する木製オーニング（特許文献１参照）、雨天時に使用した防水シートの収納時に、筺体内に収納した機器を濡らすことがない屋外用機器収容筺体（特許文献２参照）、及び降雨時に扉を開いて内部の保守、点検をするのに好適な雨除け機能付き配電盤および雨除け・日除け両機能付き配電盤（特許文献３参照）などが提案されている。しかしながら、これらの技術は何れも、シートが高さ、幅、及び傾きという観点において自由に脱着可能なものではなく、また、シート又はシートを取り付けるフレームを建物の設置状況やその他の各種環境などを考慮して柔軟に取り外しできるようなものでもなかった。
【０００６】
【特許文献１】特開２０００−３０３６４２号公報
【特許文献２】特開２００４−１２８１５２号公報
【特許文献３】特開平０７−１１５７１３号公報
【発明の開示】
【発明が解決しようとする課題】
【０００７】
本発明はこのような事情に鑑み、シートを取り付けるためのフレームを容易且つ柔軟に構築することができると共に、シートの取り付けにかかる作業者の時間的負担を軽減することができる屋外補助装置を提供することを課題とする。
【課題を解決するための手段】
【０００８】
上記課題を解決するための本発明の第１の態様は、物品が管理されている建造物において物品を搬入出する際に補助的に作業場所を確保するために使用する屋外補助装置であって、前記建造物に等間隔の列をなして設置される伸縮自在なフレームを有し、そのフレームは、地面方向に対して伸長することでフレームに取り付けるシートが脱着可能に設けられるように且つシートの取付高さ、幅、及び傾きが自由に設定できるように形成したことを特徴とする屋外補助装置にある。
【０００９】
かかる第１の態様では、フレームが、地面方向に対して伸長することでフレームに取り付けるシートが脱着可能に設けられるように且つシートの取付高さ、幅、及び傾きが自由に設定できるように形成される。
【００１０】
本発明の第２の態様は、前記フレームは、取付位置に対して水平方向に伸縮するジャバラ構造からなり、伸長時に地面方向に対して緩やかな弧を描くようにして垂れ下がるような角度に引き出せるように形成したことを特徴とする第１の態様に記載の屋外補助装置にある。
【００１１】
かかる第２の態様では、フレームが、伸長時に地面方向に対して緩やかな弧を描くようにして垂れ下がるような角度に引き出せるように形成される。
【００１２】
本発明の第３の態様は、前記フレームは、両端に設けられたＬ形金具を建造物に備わるフックに固定することで保持されることを特徴とする第２の態様に記載の屋外補助装置にある。
【００１３】
かかる第３の態様では、フレームが、両端に設けられたＬ形金具を建造物に備わるフックに固定することで保持される。
【００１４】
本発明の第４の態様は、前記フレームは、長さが段階的に伸縮できる構造で構成され、そのフレームの一部を構成するシャフトを回転させるようにすることで前記建造物に取外自在に設けられていることを特徴とする第１の態様に記載の屋外補助装置にある。
【００１５】
かかる第４の態様では、フレームの長さが段階的に伸縮できる構造で構成され、そのフレームの一部を構成するシャフトを回転させるようにすることで建造物に取外自在に設けられる。
【００１６】
本発明の第５の態様は、前記フレームは、伸長させたフレームの先端を地面に固定することで保持されることを特徴とする第４の態様に記載の屋外補助装置にある。
【００１７】
かかる第５の態様では、フレームが、伸長させたフレームの先端を地面に固定することで保持される。
【００１８】
本発明の第６の態様は、前記シャフトは、シャフトの軸方向に直交するようにバネ力が加わる突起部を有しており、その突起部にシートの端部を挟み込むことでシートが脱着可能となるようにしたことを特徴とする第４又は５の態様に記載の屋外補助装置にある。
【００１９】
かかる第６の態様では、シャフトの軸方向に直交するようにバネ力が加わる突起部にシートの端部を挟み込むことでシートが脱着可能となる。
【発明の効果】
【００２０】
本発明によれば、伸縮自在なフレームを用いてシートを取り付ける際の各種取付条件を自由に設定できるようにしたため、シートを取り付けるためのフレームを容易且つ柔軟に構築することができると共に、シートの取り付けにかかる作業者の時間的負担を軽減することができる屋外補助装置を提供することが可能となる。
【発明を実施するための最良の形態】
【００２１】
以下、図面を用いて本発明を実施するための最良の形態について説明する。なお、本実施形態の説明は例示であり、本発明の構成は以下の説明に限定されない。
【００２２】
（実施形態１）
図１は、本発明の実施形態１に係る屋外補助装置を適用した建造物の概略構成図である。なお、本実施形態では、建造物の例示として、内部に配電盤や開閉装置などが配設されているスイッチギアを想定している。また、図１の下側の図面は、建造物の屋根がない状態を図示している。
【００２３】
図示するように、本実施形態の屋外補助装置１０は、建造物２０の屋根に等間隔の列をなして配置する伸縮自在なフレーム１２を有しており、そのフレーム１２を地面方向に対して伸長させることでシートが取り付けられる。このようなフレーム１２は、建造物２０の開口部側となる物品の搬入出方向に対して構築できるように設けられている。そして、このように構築されるフレーム１２には、シートが脱着可能となるように設けられることになる。
【００２４】
具体的には、フレーム１２は、取付位置に対して水平方向に伸縮するジャバラ構造からなり、伸縮時には地面方向に対して緩やかな弧を描くようにして垂れ下がるような角度に引き出せるように形成される。そして、フレーム１２には、フレーム１２本体を建造物２０に固定するためのＬ形金具１２ａが設けられており、このＬ形金具１２ａを建造物２０に備わるフック２１に固定することでフレーム１２本体が保持されるようになっている。これにより、簡単にフレーム１２を取り付けることができるため、フレーム１２を構築してシートを取り付ける際にかかる作業者の時間的負担を軽減させることができ、例えば、作業中による天候の変化にも容易に対応することができる。
【００２５】
また、フレーム１２は、シート１１の取付高さ、幅、及び傾きが自由に設定できるように形成されている。すなわち、フレーム１２は、引き出し方の度合いによって地面までの高さ、傾き角度、及び長さが異なってくるため、作業スペースなどの設置環境または天候などの作業環境の変化を考慮して、作業者が自由度のあるフレーム１２を構築することができる。
【００２６】
ここで、屋外補助装置１０の取り付け状態について説明する。図２は、屋外補助装置の取り付け状態の要部を示す側面図及び上面図である。
【００２７】
図２（ａ）及び（ｂ）に示すように、フレーム１２は、建造物２０側に設置される両端部にＬ形金具１２ａを有しており、建造物２０から突出しているフック２１にＬ形金具１２ａを掛けることで、容易にフレーム１２を設置することができるようになっている。
【００２８】
このような構成により、フレーム１２を建造物２０に容易に取り付けてシートを取り付けるためのフレーム１２を構築できると共に、例えば、既設の建造物２０に対してもフレーム１２本体を固定するためのフック２１を別途取り付けるだけで、容易にシートを取り付けるためのフレーム１２を柔軟に構築することができる。また、建造物２０に対するフレーム１２の取付及び取外を可能としているため、例えば、建造物２０の設置状況を考慮して柔軟にフレーム１２を構築することができる。
【００２９】
（実施形態２）
図３は、本発明の実施形態２に係る屋外補助装置を適用した建造物の概略構成図である。なお、本実施形態でも同様に、建造物の例示として、内部に配電盤や開閉装置などが配設されているスイッチギアを想定している。
【００３０】
図３に示すように、実施形態２は、屋外補助装置１０Ａを建造物２０Ａの内部に収容できるようにし且つ伸長させたフレーム１２Ａの先端を地面に固定して保持させている点が上述した実施形態１と異なっている。すなわち、屋外補助装置１０Ａを建造物２０Ａの内部に組み込んで一体化することで、必要に応じたフレーム１２Ａの構築を可能としていると共に、地面に固定させることでフレーム１２Ａ全体の安定化を図っている。
【００３１】
具体的に、図３（ｂ）に示すように、建造物２０Ａの内部には、フレーム１２Ａが収容できるスペースを有する収容路２２が形成されおり、フレーム１２Ａが自由に出し入れできるようになっている。ここで、フレーム１２Ａは、長さが段階的に伸縮できる構造で構成されており、地面まで伸長されて構築されたフレーム１２Ａ上に脱着可能なシート１１が取り付けられている。本実施形態のフレーム１２Ａは、地面方向に対して緩やかな弧を描くように伸長される１つのフレーム１２Ａが、建造物２０Ａに等間隔の列をなして複数にわたり設置されることで構築される。
【００３２】
また、フレーム１２Ａは、シート１１の取付高さ、幅、及び傾きが自由に設定できるように形成されている。すなわち、フレーム１２Ａは、安定化という観点からは地面に固定することが最適であるが、例えば、柔軟性という観点においては必ずしも地面に固定せず又建造物２０Ａの扉側を部分的に覆うようにすることが最適な場合がある。すなわち、作業スペースなどの設置環境または天候などの作業環境の変化を考慮すると、必ずしも地面に固定する必要もなく又必ずしも建造物２０Ａの扉側全体を覆うようにする必要もなく、むしろシート１１の取付高さ、幅、及び傾きなどの各種取付条件が自由に設定できるようなある程度自由度を持たせて構築できる骨組が要求される。
【００３３】
なお、フレーム１２Ａは、長さが段階的に伸縮するものであってもよいが、例えば、収容路２２に収容できるような形状のものであってもよい。
【００３４】
（実施形態３）
図４は、本発明の実施形態３に係る屋外補助装置を適用した建造物の概略構成図である。なお、本実施形態でも同様に、建造物の例示として、内部に配電盤や開閉装置などが配設されているスイッチギアを想定している。
【００３５】
図４に示すように、実施形態３は、屋外補助装置１０Ｂを建造物２０Ｂに取外自在に設けるようにし且つ伸長させたフレーム１２Ｂの先端を地面に固定して保持させている点が上述した実施形態１と異なっていると共に、屋外補助装置１０Ｂが建造物２０Ｂの外部に取付及び取外できるように形成されている点が上述した実施形態２と異なっている。
【００３６】
具体的には、フレーム１２Ｂは、フレーム１２Ｂの一部を構成するシャフトを回転させるようにすることで建造物２０Ｂに脱着自在に設けられている。そして、上述した実施形態２と同様に、フレーム１２Ｂは、長さが段階的に伸縮できる構造で構成されており、地面まで伸長されて構築されたフレーム１２Ｂ上に脱着可能なシート１１が取り付けられている。そして、地面方向に対して緩やかな弧を描くように伸長される１つのフレーム１２Ｂが、建造物２０Ｂに等間隔の列をなして複数にわたり設置されることで構築される。
【００３７】
さらに、図４（ｂ）及び（ｃ）に示すように、本実施形態では、フレーム１２Ｂの先端を固定するための固定部材１３が地面に配設されており、確実にフレーム１２Ｂが固定されるようになっている。そして、上述した実施形態２と同様に、シート１１の取付高さ、幅、及び傾きが自由に設定できるようにフレーム１２Ｂが形成されている。これも実施形態２と同様の趣旨であり、同様の効果が期待できる。
【００３８】
ここで、屋外補助装置１０Ｂの具体的な構成について説明する。図５は、屋外補助装置の取り付け状態の要部を示す側面図及び断面図である。
【００３９】
図５（ａ）に示すように、建造物２０Ｂには扉方向に突出したシャフト固定部２００が設けられている。このシャフト固定部２００は、軸方向にシャフト１２１を勘合するための円錐形状からなる凸部２００ａが突出して設けられていると共に、シャフト１２１の先端部１２１ａをＢ方向から固定するようにＭ字形状からなる押圧部２００ｂが設けられている。このような構成において、例えば、図５（ｂ）に示すように、シャフト１２１を左右の何れかに９０度回転させると圧接部１２１ｂがシャフト固定部２００の空間部２００ｃに移動するため、シャフト軸が取外自在な状態となる。一方、シャフト軸を取外自在な状態からさらに９０度回転させた場合には、圧接部１２１ｂがシャフト固定部２００の接触面２００ｄと一定の圧力で当接するため、シャフト軸がシャフト固定部２００に固定された状態となる。
【００４０】
また、シャフト１２１は、シャフト１２１の軸方向に直交するようにバネ力が加わる突起部１２１ｅを有しており、その突起部１２１ｅにシート１１の端部を挟み込むことでシート１１が脱着可能となるように形成されている。このような構成により、建造物２０Ｂに対してフレーム１２Ｂを脱着自在に設けるようにできるため、シート１１を取り付けるためのフレーム１２Ｂを容易に設置できるようになっている。また、既設の建造物２０Ｂに対してもフレーム１２Ｂ本体を固定するための固定部材（シャフト固定部２００）を別途取り付けるだけで、容易にシート１１を取り付けるためのフレーム１２Ｂを構築することができるため、作業者の作業時間を削減にも寄与することができる。
【００４１】
（他の実施形態）
上述した実施形態１〜３では、屋外補助装置１０、１０Ａ、及び１０Ｂをスイッチギア用として例示しているが、特にこれに限定されず、例えば、自動販売機などの作業用として適用してもよい。すなわち、作業中に屋根を必要とするような屋外の作業環境に設置して補助的に作業場所を確保することが可能であり、幅広い用途に適用することができる。
【００４２】
また、屋外補助装置１０、１０Ａ、及び１０Ｂは、例えば、建造物２０、２０Ａ、及び２０Ｂに収容されている装置を修理等する際の作業用として適用してもよい。すなわち、修理または改造するために装置を分解するような場合において、シート１１を取り付けることで必要な作業環境を確保するように活用してもよい。これにより、例えば、作業中の装置に対するゴミや埃の混入を防止することができる。このようにして、作業スペースのなどの設置環境または天候の変化などの作業環境に応じて適宜シート１１を取り付けるためのフレーム１２、１２Ａ、及び１２Ｂを容易且つ柔軟に構築することができる。
【図面の簡単な説明】
【００４３】
【図１】本発明の実施形態１に係る屋外補助装置を適用した建造物の概略構成図である。
【図２】本発明の実施形態１に係る屋外補助装置の取り付け状態の要部を示す側面図及び上面図である。
【図３】本発明の実施形態２に係る屋外補助装置を適用した建造物の概略構成図である。
【図４】本発明の実施形態３に係る屋外補助装置を適用した建造物の概略構成図である。
【図５】本発明の実施形態３に係る屋外補助装置の取り付け状態の要部を示す側面図及び断面図である。
【符号の説明】
【００４４】
１０、１０Ａ、１０Ｂ  屋外補助装置
１１  シート
１２、１２Ａ、１２Ｂ  フレーム
１２ａ  Ｌ形金具
１３  固定部材
２０、２０Ａ、２０Ｂ  建造物
２１  フック
２２  収容路
１２１  シャフト
１２１ａ  先端部
１２１ｂ  圧接部
２００  シャフト固定部
２００ａ  凸部
２００ｂ  押圧部
２００ｃ  空間部
２００ｄ  接触面
【図１】
2008240330.tif 000003
【図２】
2008240330.tif 000004
【図３】
2008240330.tif 000005
【図４】
2008240330.tif 000006
【図５】
2008240330.tif 000007